(57)【特許請求の範囲】
【請求項１】
平板部から突出するタブが櫛歯状に複数並んだ状態に形成される導電性のジョイント端子と、該ジョイント端子の差し込み収容部分として端子受け部が形成される絶縁性のハウジングと、を備える雄ジョイントコネクタにおいて、
前記ジョイント端子は、前記平板部が前記タブの並び方向に複数存在する形状に形成され、且つ、隣り合う該平板部同士は、連結部にて連結され、
さらに、前記ハウジングには、貫通孔が形成され、且つ、該貫通孔は、前記ジョイント端子の差し込み方向に対し交差する方向から前記端子受け部の内部に連通するような形状に形成され、且つ、前記貫通孔は、前記連結部の位置に合わせて配置され、
前記連結部には、前記平板部から立ち上がる第一の壁と、該第一の壁の立ち上がり先端部分に連続して前記貫通孔から臨むことが可能な第二の壁とが形成され、さらに、前記第一の壁には、前記端子受け部に引っ掛かり係止される弾性の係止片が形成される
ことを特徴とする雄ジョイントコネクタ。
【請求項２】
請求項１に記載の雄ジョイントコネクタにおいて、
前記第一の壁には、前記係止片の被係止時に前記端子受け部のストッパ部に当接可能なハウジング当接部が形成される
ことを特徴とする雄ジョイントコネクタ。
【請求項３】
請求項１又は２に記載の雄ジョイントコネクタにおいて、
前記第二の壁には、隣り合う前記平板部同士の連結状態を解除するためのカット部が形成される
ことを特徴とする雄ジョイントコネクタ。
【請求項４】
請求項３に記載の雄ジョイントコネクタにおいて、
前記ハウジングには、前記カット部をカットするための治具の挿入部分としてカット治具挿入孔が形成される
ことを特徴とする雄ジョイントコネクタ。
【請求項５】
請求項１、２、３又は４に記載の雄ジョイントコネクタにおいて、
前記ハウジングには、前記タブが挿通されるタブ挿通孔とは別に前記端子受け部に連通して前記係止片の被係止状態の解除を行うことが可能な係止解除孔が形成される
ことを特徴とする雄ジョイントコネクタ。
【請求項６】
請求項１、２、３、４又は５に記載の雄ジョイントコネクタにおいて、
当該雄ジョイントコネクタは、前記ハウジングに係止されて前記ジョイント端子の差し込み用開口部分及び前記貫通孔を覆う絶縁性のカバーを更に備える
ことを特徴とする雄ジョイントコネクタ。
【発明の詳細な説明】
【技術分野】
【０００１】
本発明は、平板部から突出するタブが櫛歯状に複数並んだ状態に形成される導電性のジョイント端子と、このジョイント端子の差し込み収容部分として端子受け部が形成される絶縁性のハウジングと、を備える雄ジョイントコネクタに関する。
【背景技術】
【０００２】
一般的に広く知られるコネクタは、電線の中継接続に用いられるが、このようなコネクタと異なるものとしては、雄ジョイントコネクタが挙げられる。雄ジョイントコネクタは、電線間の短絡、或いは、一本の電線から複数の負荷配線を取り出す際の分岐接続に用いられる。雄ジョイントコネクタは、主に自動車の電装品回路を配線するためのワイヤハーネスに多用される。雄ジョイントコネクタとしては、例えば下記特許文献１のものが知られる。
【先行技術文献】
【特許文献】
【０００３】
【特許文献１】特開２００５−３５３３６１号公報
【発明の概要】
【発明が解決しようとする課題】
【０００４】
特許文献１の雄ジョイントコネクタにあっては、例えば、タブが３連になる３連ジョイント端子と、タブが４連になる二つの４連ジョイント端子とをハウジングの端子受け部にそれぞれ差し込んで収容保持状態にするが、この収容保持状態にしてしまうと、３連ジョイント端子と二つの４連ジョイント端子とが何処で分断されているかが分からなくなってしまい、そのためジョイント端子を変更しようとする場合や、端子種別を確認しようとする場合には、作業性が悪くなってしまうという問題点を有する。
【０００５】
また、特許文献１の雄ジョイントコネクタにあっては、例えば一つの４連ジョイント端子を二つの２連ジョイント端子に変更しようとする場合、端子受け部に収容保持状態にある４連ジョイント端子を端子受け部から取り外さなければならなくなることから、この場合も作業性が悪くなってしまうという問題点を有する。
【０００６】
本発明は、上記した事情に鑑みてなされたもので、ジョイント端子に係る作業性の向上を図ることが可能な雄ジョイントコネクタを提供することを課題とする。
【課題を解決するための手段】
【０００７】
上記課題を解決するためになされた請求項１に記載の本発明の雄ジョイントコネクタは、平板部から突出するタブが櫛歯状に複数並んだ状態に形成される導電性のジョイント端子と、該ジョイント端子の差し込み収容部分として端子受け部が形成される絶縁性のハウジングと、を備える雄ジョイントコネクタにおいて、前記ジョイント端子は、前記平板部が前記タブの並び方向に複数存在する形状に形成され、且つ、隣り合う該平板部同士は、連結部にて連結され、さらに、前記ハウジングには、貫通孔が形成され、且つ、該貫通孔は、前記ジョイント端子の差し込み方向に対し交差する方向から前記端子受け部の内部に連通するような形状に形成され、且つ、前記貫通孔は、前記連結部の位置に合わせて配置され、前記連結部には、前記平板部から立ち上がる第一の壁と、該第一の壁の立ち上がり先端部分に連続して前記貫通孔から臨むことが可能な第二の壁とが形成され、さらに、前記第一の壁には、前記端子受け部に引っ掛かり係止される弾性の係止片が形成されることを特徴とする。
【０００９】
請求項２に記載の本発明は、請求項１に記載の雄ジョイントコネクタにおいて、前記第
一の壁には、前記係止片の被係止時に前記端子受け部のストッパ部に当接可能なハウジン
グ当接部が形成されることを特徴とする。
【００１０】
請求項３に記載の本発明は、請求項１又は２に記載の雄ジョイントコネクタにおいて、前記第二の壁には、隣り合う前記平板部同士の連結状態を解除するためのカット部が形成されることを特徴とする。
【００１１】
請求項４に記載の本発明は、請求項３に記載の雄ジョイントコネクタにおいて、前記ハウジングには、前記カット部をカットするための治具の挿入部分としてカット治具挿入孔が形成されることを特徴とする。
【００１２】
請求項５に記載の本発明は、請求項１、２、３又は４に記載の雄ジョイントコネクタにおいて、前記ハウジングには、前記タブが挿通されるタブ挿通孔とは別に前記端子受け部に連通して前記係止片の被係止状態の解除を行うことが可能な係止解除孔が形成されることを特徴とする。
【００１３】
請求項６に記載の本発明は、請求項１、２、３、４又は５に記載の雄ジョイントコネクタにおいて、当該雄ジョイントコネクタは、前記ハウジングに係止されて前記ジョイント端子の差し込み用開口部分及び前記貫通孔を覆う絶縁性のカバーを更に備えることを特徴とする。
【発明の効果】
【００１４】
請求項１に記載された本発明によれば、ハウジングの貫通孔を介してジョイント端子の連結部の有無を確認することで、何処でジョイント端子が分断されているかを作業者に分からせることができる。これにより、ジョイント端子の変更に係る作業や、端子種別の確認作業をし易くすることができる。従って、本発明によれば、ジョイント端子に係る作業性の向上を図ることができるという効果を奏する。
【００１５】
請求項１に記載された本発明によれば、上述の効果に加え次のような効果を更に奏する。すなわち、本発明によれば、連結部を形成した部分毎に係止片を有するような構造のジョイント端子であることから、確実にハウジングに係止され、結果、ハウジングの端子受け部におけるジョイント端子の収容保持状態を安定させることができるという効果を奏する。
【００１６】
また、本発明によれば、ジョイント端子の平板部よりも一段上がった位置で連結部の有無を確認することができる構造のジョイント端子であることから、連結部の第二の壁を作業者に近い側に配置して視認性を良くすることができ、結果、作業性の更なる向上を図ることができるという効果を奏する。
【００１７】
さらに、本発明によれば、上記の如く第二の壁を平板部よりも一段上がった位置に連結部を配置してなる構造のジョイント端子であることから、以下の請求項４の発明の場合にあっては、連結状態の解除をし易くすることができ、また、請求項５の場合にあっては、治具の挿入部分を形成入し易くすることができるという効果を奏する。
【００１８】
請求項２に記載された本発明によれば、請求項１の効果に加え次のような効果を更に奏する。すなわち、本発明によれば、第一の壁にハウジング当接部を形成し、このハウジング当接部を係止片の被係止時において端子受け部のストッパ部に当接させることが可能な構造であることから、端子受け部におけるジョイント端子の収容保持状態を更に安定させることができるという効果を奏する。
【００１９】
請求項３に記載された本発明によれば、請求項１又は２の効果に加え次のような効果を更に奏する。すなわち、本発明によれば、第二の壁にカット部を形成し、このカット部を隣り合う平板部同士の連結状態解除に用いる構造であることから、ジョイント端子を端子受け部から取り外さなくてもジョイント端子の変更をすることができ、以て作業性の更なる向上を図ることができるという効果を奏する。
【００２０】
請求項４に記載された本発明によれば、請求項３の効果に加え次のような効果を更に奏する。すなわち、本発明によれば、ハウジングにカット治具挿入孔を形成し、このカット治具挿入孔を隣り合う平板部同士の連結状態解除に用いる構造であることから、ジョイント端子を端子受け部から取り外さなくてもジョイント端子の変更をすることができ、以て作業性の更なる向上を図ることができるという効果を奏する。
【００２１】
請求項５に記載された本発明によれば、請求項１、２、３又は４の効果に加え次のような効果を更に奏する。すなわち、本発明によれば、ハウジングに係止解除孔を形成する構造であることから、ジョイント端子を端子受け部から取り外す必要性が生じた場合に対応することができるという効果を奏する。
【００２２】
また、本発明によれば、タブ挿通孔とは別に係止解除孔を形成してなる構造であることから、ジョイント端子の取り外しのためにタブ挿通孔を大きく開口させなくてもよく、結果、タブの位置を安定させて電気的な接続を良好にすることができるという効果を奏する。
【００２３】
請求項６に記載された本発明によれば、請求項１、２、３、４又は５の効果に加え次のような効果を更に奏する。すなわち、本発明によれば、カバーを更に備える雄ジョイントコネクタであることから、カバーをハウジングに係止させればジョイント端子の差し込み用開口部分や、連結部を臨む貫通孔を覆うことができ、結果、コネクタ内部への異物混入を防止することができるという効果や、異物によるショートの発生を防止することができるという効果を奏する。
【図面の簡単な説明】
【００２４】
【図１】本発明の雄ジョイントコネクタを示す図であり、（ａ）は外観斜視図、（ｂ）は断面線Ａ−Ａの位置を示す正面図、（ｃ）は断面線Ｂ−Ｂの位置を示す正面図である。
【図２】カバーを手前にした時の雄ジョイントコネクタの分解斜視図である。
【図３】ハウジングを手前にした時の雄ジョイントコネクタの分解斜視図である。
【図４】図１のＡ−Ａ線断面図である。
【図５】図１のＢ−Ｂ線断面図である。
【図６】４連ジョイント端子の外観斜視図である。
【図７】４連ジョイント端子の平面図である。
【図８】ハウジングの断面図である。
【図９】背面側から見たハウジングの斜視図である。
【図１０】４連ジョイント端子をハウジングに差し込んで組み付けた時の図であり、（ａ）は背面図、（ｂ）はハウジングの貫通孔から４連ジョイント端子の連結部を臨む図である。
【図１１】４連ジョイント端子の連結状態を一部解除した時の図であり、（ａ）は背面図、（ｂ）はハウジングの貫通孔からジョイント端子の連結部を臨んだ図である。
【図１２】４連ジョイント端子の連結状態を一部解除した時の図であり、（ａ）は背面図、（ｂ）はハウジングの貫通孔からジョイント端子の連結部を臨んだ図である。
【図１３】二つの２連ジョイント端子を含む雄ジョイントコネクタの分解斜視図である。
【図１４】図１３の二つの２連ジョイント端子をそれぞれハウジングに差し込む状態を示す斜視図である。
【発明を実施するための形態】
【００２５】
雄ジョイントコネクタは、導電性のジョイント端子と、絶縁性のハウジングと、絶縁性のカバーとを備えて構成される。ジョイント端子は、平板部から突出するタブが櫛歯状に複数並んだ状態に形成される。また、ジョイント端子は、平板部がタブの並び方向に複数存在する形状に形成される。さらに、ジョイント端子は、隣り合う平板部同士が連結部にて連結される形状に形成される。ハウジングには、ジョイント端子の差し込み収容部分として端子受け部が形成される。また、ハウジングには、ジョイント端子の差し込み方向に対し交差する方向から端子受け部に連通するような貫通孔が形成される。この貫通孔は、ジョイント端子の連結部の位置に合わせて配置形成される。
【００２６】
連結部は、平板部から立ち上がる第一の壁と、この第一の壁の立ち上がり先端部分に連続する第二の壁とを有する。第一の壁には、端子受け部に引っ掛かり係止される弾性の係止片が形成される。また、第一の壁には、係止片の被係止時に端子受け部のストッパ部に当接するハウジング当接部が形成される。第二の壁は、貫通孔から臨むことが可能な部分として形成される。第二の壁には、隣り合う平板部同士の連結状態を解除するためのカット部が形成される。一方、ハウジングには、カット部をカットするための治具の挿入部分としてカット治具挿入孔が形成される。
【実施例】
【００２７】
以下、図面を参照しながら実施例を説明する。図１は本発明の雄ジョイントコネクタを示す図であり、（ａ）は外観斜視図、（ｂ）は断面線Ａ−Ａの位置を示す正面図、（ｃ）は断面線Ｂ−Ｂの位置を示す正面図である。また、図２はカバーを手前にした時の雄ジョイントコネクタの分解斜視図、図３はハウジングを手前にした時の雄ジョイントコネクタの分解斜視図、図４は図１のＡ−Ａ線断面図、図５は図１のＢ−Ｂ線断面図である。
【００２８】
尚、図１の矢印Ｐは上下方向を示すものとする。また、矢印Ｑは左右方向、矢印Ｒは前後方向を示すものとする。
【００２９】
＜雄ジョイントコネクタ１の構成について＞
図１ないし図５において、雄ジョイントコネクタ１は、自動車の電装品回路を配線するためのワイヤハーネスに用いられる。雄ジョイントコネクタ１は、導電性の４連ジョイント端子２（ジョイント端子）と、絶縁性のハウジング３と、絶縁性のカバー４とを備えて構成される。雄ジョイントコネクタ１は、本実施例において、図示しない相手側コネクタの電線間を短絡することができるように構成される。
【００３０】
以下、雄ジョイントコネクタ１の各構成部材について図１〜図５の他に図６〜図１０も参照しながら説明をする。
【００３１】
図６は４連ジョイント端子の外観斜視図、図７は４連ジョイント端子の平面図、図８はハウジングの断面図、図９は背面側から見たハウジングの斜視図、図１０は４連ジョイント端子をハウジングに差し込んで組み付けた時の図である。
【００３２】
＜４連ジョイント端子２について＞
図６及び図７において（図１〜図５も参照する）、４連ジョイント端子２は、導電性を有する金属板をプレス加工することにより図示形状に形成される。４連ジョイント端子２は、四つのタブ５と、圧入部６とを有する。４連ジョイント端子２は、以下の説明で分かるが、圧入部６の構造に特徴を有する。
【００３３】
＜タブ５について＞
タブ５は、断面正方形で先端が略四角錐形状の細長い棒状の部分に形成される。また、タブ５は、図示しない相手側コネクタの雌端子金具に対して電気的に接続される部分として形成される。タブ５は、四つとも同じ形状、同じ長さに形成される。尚、タブ５の数は一例であるものとする。例えば、５連ジョイント端子の場合は五つ、６連ジョイント端子の場合は六つ…になる。
【００３４】
＜圧入部６について＞
圧入部６は、タブ５の数に合わせて形成される。具体的には、タブ５が四つであることから、四つの平板部７と、この四つの平板部７を連結するための三つの連結部８とを有する図示形状に形成される。
【００３５】
＜平板部７とタブ５について＞
平板部７とタブ５は、一対一で対応するように形成される。平板部７は、平面視矩形状に形成される。尚、平板部７の左右方向の長さは、タブ５のピッチ等に応じて適宜設定されるものとする。平板部７は、この前端中央部分にタブ５が連成される。タブ５は、前方に真っ直ぐ突出するように形成される。平板部７から突出するタブ５は、この四つが櫛歯状に並ぶように配置される。
【００３６】
＜連結部８について＞
連結部８は、隣り合う平板部７同士を連結する部分として形成される。また、連結部８は、これを見ると連結の有無が分かるような部分としても形成される。連結部８は、一対の第一の壁９と、第二の壁１０とを有して正面視略門形に形成される。第一の壁９は、平板部７の左端（又は右端）から上方に立ち上がる部分として形成される。また、第二の壁１０は、一対の第一の壁９の立ち上がり先端部分を繋ぐ部分として形成される。第一の壁９は、平板部７に対して垂直に形成される。また、第二の壁１０は、平板部７に対して平行に形成される。
【００３７】
第一の壁９には、係止片１１と、ハウジング当接部１２とが形成される。係止片１１は、第一の壁９を平板部７の側に切り起こすような弾性を有する片状に形成される。係止片１１は、ハウジング３の後述する端子受け部１５に対し差し込まれる際に撓み、そして、所定量差し込まれた後には弾性復帰して、先端部分が端子受け部１５に引っ掛かるような係止部分として形成される。ハウジング当接部１２は、係止片１１が端子受け部１５に対し係止された時に、この端子受け部１５の後述するストッパ部２８に当接する部分として形成される。
【００３８】
第二の壁１０には、カット部１３が形成される。このカット部１３は、第二の壁１０の中央部分に配置形成される。カット部１３は、隣り合う平板部７同士の連結状態を解除するための部分として形成される。カット部１３を有する第二の壁１０は、本実施例において、平面視Ｈ字状に形成される。すなわち、カットし易い形状に形成される。
【００３９】
＜ハウジング３について＞
図８及び図９において（図１〜図５も参照する）、ハウジング３は樹脂部品であって、絶縁性を有する樹脂材料を溶融させ、そしてこれを金型に流し込んで成形される。ハウジング３は、金型から取り出されると図示形状が得られる。ハウジング３は、コネクタ嵌合部１４と、端子受け部１５とを有する。ハウジング３は、以下の説明から分かるが、端子受け部１５の構造に特徴を有する。
【００４０】
＜コネクタ嵌合部１４について＞
コネクタ嵌合部１４は、図示しない相手側コネクタに対する嵌合部分として形成される。このようなコネクタ嵌合部１４には、嵌合空間１６と、ロックアーム１７とが形成される。嵌合空間１６は、相手側コネクタの大きさに合わせて形成される。ロックアーム１７は、相手側コネクタのハウジングを引っ掛けて係止する部分として形成される。ロックアーム１７は、可撓性を有するアーム形状のロック部分に形成される。
【００４１】
尚、引用符号１８の穴は、ロックアーム１７の形成により生じる型抜き穴である。また、相手コネクタを離脱させる際にロックアーム１７を操作するための操作穴でもある。型抜き穴に関し特に符号を付さないが、ハウジング３には幾つかの穴が形成される。
【００４２】
＜端子受け部１５について＞
端子受け部１５は、４連ジョイント端子２の差し込み収容部分、及び保持部分として形成される。端子受け部１５は、コネクタ嵌合部１４の後部に連続するように形成される。端子受け部１５は、矩形のブロック形状に形成される。このような端子受け部１５の内部には、収容部１９と、四つのタブ挿通孔２０と、六つの係止解除孔２１とが形成される。また、端子受け部１５の外部には、開口部２２と、三つの貫通孔２３と、三つのカット治具挿入孔２４と、カバー係止部２５とが形成される。
【００４３】
収容部１９は、圧入部６を収容保持（収容係止）することができるような形状に形成される。すなわち、収容部１９は、圧入部６に合わせた空間が生じるような形状に形成される。収容部１９には、係止片１１を引っ掛けて係止するための係止部２６が形成される。また、収容部１９には、二つのストッパ部２７、２８が形成される。ストッパ部２７は、平板部７を当接させるための部分として形成される。また、ストッパ部２８は、ハウジング当接部１２を当接させるための部分として形成される。ストッパ部２７、２８は、圧入部６の前方への移動を規制するためのストッパとして機能するように形成される。
【００４４】
タブ挿通孔２０は、タブ５の挿通部分として形成される。タブ挿通孔２０は、断面正方形のタブ５に対し大きな隙間が生じないような形状に形成される。タブ挿通孔２０は、コネクタ嵌合部１４の嵌合空間１６と、収容部１９とを連通させるような部分に形成される。
【００４５】
係止解除孔２１は、収容部１９に引っ掛かり係止された係止片１１の被係止状態を解除するための部分として形成される。また、係止解除孔２１は、コネクタ嵌合部１４の嵌合空間１６と、収容部１９とを連通させるような部分に形成される。係止解除孔２１は、嵌合空間１６の側から係止片１１を臨むことができるような位置に配置される。係止解除孔２１は、タブ挿通孔２０とは別位置に配置される。
【００４６】
開口部２２は、４連ジョイント端子２の差し込みを開始する部分として形成される。開口部２２は、圧入部６の形状に合わせて開口するように形成される。開口部２２は、この奥に収容部１９が連続するように配置形成される。
【００４７】
貫通孔２３は、４連ジョイント端子２の差し込み方向に対し交差する方向から（本実施例では上方から）収容部１９に連通するような形状に形成される。また、貫通孔２３は、連結部８（具体的には第二の壁１０）の位置に合わせて配置形成される。貫通孔２３は、連結部８を臨むことができるように配置形成される。貫通孔２３は、本実施例において、端子受け部１５の上壁を前後方向に切り欠くような形状に形成される。また、貫通孔２３は、本実施例において、カット治具挿入孔２４が連通するような形状に形成される。
【００４８】
カット治具挿入孔２４は、カット部１３をカットするための治具（カット治具：例えばニッパーのような金属をカットすることができる鋏状の治具など。図示省略）の挿入部分として形成される。カット治具挿入孔２４は、開口部２２及び貫通孔２３に連通するような形状及び位置に形成される。
【００４９】
カバー係止部２５は、カバー４を係止するための部分として形成される。カバー係止部２５は、端子受け部１５の左右両側部分に配置形成される。カバー係止部２５は、テーパ面と係止面とを有する突起部分に形成される。
【００５０】
＜カバー４について＞
図１ないし図５において、カバー４は、樹脂成形品であって、開口部２２、貫通孔２３、及びカット治具挿入孔２４を覆うことができるような図示形状に形成される。カバー４は、コネクタ内部への異物混入を防止するために備えられる。カバー４には、被覆部２９と、被係止部３０とが形成される。被覆部２９は、開口部２２、貫通孔２３、及びカット治具挿入孔２４を覆うための部分として形成される。被係止部３０は、カバー係止部２５に対し係止される部分として形成される。尚、引用符号３１の穴は、カバー係止部２５を形成する際に生じる型抜き穴である。また、カバー４を取り外す際に用いられる操作穴でもある。
【００５１】
＜雄ジョイントコネクタ１の組み付けについて＞
図２及び図３において、ハウジング３と、４連ジョイント端子２と、カバー４とを前後方向に沿って並べ、そして、４連ジョイント端子２をハウジング３の端子受け部１５に差し込むと、この差し込みにより４連ジョイント端子２は、圧入部６が収容部１９に収容保持される（図４及び図５参照）。四つのタブ５は、コネクタ嵌合部１４の嵌合空間１６に突出する。また、圧入部６は、係止片１１、係止部２６、ハウジング当接部１２、及びストッパ部２７、２８により前後方向への移動が規制される。圧入部６は、タブ５毎に存在する複数の係止片１１により確実、且つ、安定した状態で収容部１９に収容保持される。
【００５２】
図１０において、端子受け部１５に４連ジョイント端子２が収容保持されると、この時、三つの貫通孔２３を介して連結部８をそれぞれ臨むことができるような状態になる。そして、図４及び図５に示すように、カバー４を端子受け部１５に係止させると、雄ジョイントコネクタ１の組み付けが完了する（図１参照）。
【００５３】
＜端子種別を変更しようとする場合について＞
図１０において、端子受け部１５には４連ジョイント端子２が収容保持される。本発明では、このような状態から端子の取り外しをせずに端子種別を変更することができる。以下、変更について、図１１及び図１２を参照しながら簡単に説明をする。図１１〜図１２は４連ジョイント端子の連結状態を一部解除した時の図である。
【００５４】
図１０ないし図１２において、カット治具挿入孔２４に図示しないカット治具を挿入してカット部１３をカットすると、このカット位置では隣り合う平板部７同士の連結状態が解除される。従って、４連ジョイント端子２の取り外しをせずに端子種別を変更することができる。
【００５５】
＜変形例について＞
以上の説明は、４連ジョイント端子２を用いたものであるが、例えばこの４連ジョイント端子２に加工を加えてから雄ジョイントコネクタ１の組み付けを行ってもよいものとする。
【００５６】
図１３は二つの２連ジョイント端子を含む雄ジョイントコネクタの分解斜視図、図１４は図１３の二つの２連ジョイント端子をそれぞれハウジングに差し込む状態を示す斜視図である。
【００５７】
図１３及び図１４において、引用符号３２は二つの２連ジョイント端子を示す。この図からわかるように、４連ジョイント端子２（図６及び図７参照）の中央に位置する連結部８のカット部１３を予めカットして二つの２連ジョイント端子３２、３２を形成し、この後に組み付けを行うことも可能である。
【００５８】
＜本発明のまとめ及び効果について＞
以上、図１ないし図１４を参照しながら説明してきたように、本発明の雄ジョイントコネクタ１は、導電性の４連ジョイント端子２（二つの２連ジョイント端子３２）と、絶縁性のハウジング３と、絶縁性のカバー４とを備えて構成される。４連ジョイント端子２は、平板部７から突出するタブ５が櫛歯状に四つ並んだ状態に形成される。また、４連ジョイント端子２は、平板部７がタブの並び方向に四つ存在する形状に形成される。さらに、４連ジョイント端子２は、隣り合う平板部７同士が連結部８にて連結される形状に形成される。ハウジング３には、４連ジョイント端子２の差し込み収容部分として端子受け部１５が形成される。また、ハウジング３には、上方から端子受け部１５に連通するような貫通孔２３が三つ形成される。この三つの貫通孔２３は、４連ジョイント端子２の連結部８の位置に合わせて配置形成される。
【００５９】
従って、本発明の雄ジョイントコネクタ１によれば、ハウジング３の貫通孔２３を介して４連ジョイント端子２の連結部８の有無（カット部１３の有無）を確認することで、何処で端子が分断されているかなどを作業者に分からせることができる。これにより、４連ジョイント端子２からの端子変更に係る作業や、端子種別の確認作業をし易くすることができる。
【００６０】
本発明の雄ジョイントコネクタ１によれば、上記からも分かるように、ジョイント端子（４連ジョイント端子２など）に係る作業性の向上を図ることができるという効果を奏する。
【００６１】
この他、本発明の雄ジョイントコネクタ１によれば、連結部８が次のような構造になる。すなわち、平板部７から立ち上がる第一の壁９と、この第一の壁９の立ち上がり先端部分に連続する第二の壁１０とを有する構造になる。また、第一の壁９には、端子受け部１５に引っ掛かり係止される弾性の係止片１１が形成される構造になる。
【００６２】
従って、本発明の雄ジョイントコネクタ１によれば、連結部８を形成した部分毎に確実に係止させることができ、結果、ハウジング３における４連ジョイント端子２の収容保持状態を安定させることができるという効果を奏する。
【００６３】
また、本発明の雄ジョイントコネクタ１によれば、平板部７よりも一段上がった位置で連結部８の有無を確認できるようになることから、作業者からは見易くなり、結果、作業性の更なる向上を図ることができるという効果を奏する。
【００６４】
さらに、本発明の雄ジョイントコネクタ１によれば、平板部７よりも一段上がった位置に第二の壁１０を配置することから、連結状態の解除をし易くしたり、図示しないカット治具の挿入をし易くしたりすることができるという効果を奏する。
【００６５】
さらにまた、本発明の雄ジョイントコネクタ１によれば、第一の壁９にハウジング当接部１２を形成し、このハウジング当接部１２を端子受け部１５のストッパ部２７に対し当接可能な構造にすることから、ハウジング３における４連ジョイント端子２の収容保持状態を更に安定させることができるという効果を奏する。
【００６６】
さらにまた、本発明の雄ジョイントコネクタ１によれば、上述の如く、４連ジョイント端子２を端子受け部１５から取り外さなくても端子変更をすることができることから、作業性の更なる向上を図ることができるという効果を奏する。
【００６７】
さらにまた、本発明の雄ジョイントコネクタ１によれば、カバー４にてハウジング３の開口部２２、貫通孔２３、及びカット治具挿入孔２４を覆う構造であることから、コネクタ内部への異物混入を防止することができるという効果や、異物によるショートの発生を防止することができるという効果を奏する。
【００６８】
本発明は本発明の主旨を変えない範囲で種々変更実施可能なことは勿論である。
【符号の説明】
【００６９】
１…雄ジョイントコネクタ、  ２…４連ジョイント端子（ジョイント端子）、  ３…ハウジング、  ４…カバー、  ５…タブ、  ６…圧入部、  ７…平板部、  ８…連結部、  ９…第一の壁、  １０…第二の壁、  １１…係止片、  １２…ハウジング当接部、  １３…カット部、  １４…コネクタ嵌合部、  １５…端子受け部、  １６…嵌合空間、  １７…ロックアーム、  １８…穴、  １９…収容部、  ２０…タブ挿通孔、  ２１…係止解除孔、  ２２…開口部（差し込み用開口部分）、  ２３…貫通孔、  ２４…カット治具挿入孔、  ２５…カバー係止部、  ２６…係止部、  ２７、２８…ストッパ部、  ２９…被覆部、  ３０…被係止部、  ３１…穴、  ３２…２連ジョイント端子（ジョイント端子）
【図１】
0006468892.tif 000002
【図２】
0006468892.tif 000003
【図３】
0006468892.tif 000004
【図４】
0006468892.tif 000005
【図５】
0006468892.tif 000006
【図６】
0006468892.tif 000007
【図７】
0006468892.tif 000008
【図８】
0006468892.tif 000009
【図９】
0006468892.tif 000010
【図１０】
0006468892.tif 000011
【図１１】
0006468892.tif 000012
【図１２】
0006468892.tif 000013
【図１３】
0006468892.tif 000014
【図１４】
0006468892.tif 000015